(57)【要約】  【課題】被洗浄面に対して均一な力で洗浄を行うことができると共に、製造コストを低減できるブラシロールを提供する。  【解決手段】チャンネルブラシ１はブラシ片によって形成されるブラシ部２と、帯状体３及び芯線８とにより形成されてある。チャンネルブラシ１は、ブラシ片を中央部から折り込んで、芯線８及び帯状体３にて、挟み付けるようにして形成されてあり、帯状体３は、断面が概コの字状に形成されてある。また、帯状体３の側面９は、カシメていない部分９ａとカシメ部９ｂとが交互に連続的に存在するように形成されてある。【選択図】図１
2010088565.tif 000002
【特許請求の範囲】
【請求項１】
筒状ロールの外周面に、その軸方向と略並列状に、多数本の直線状のチャンネルブラシを着脱自在に取り付けたブラシロールにおいて、前記チャンネルブラシは、ブラシ片と、帯状体と、芯線とを備え、前記ブラシ片を上面から視た場合に、長手方向に対して、略卵型のブラシ部と、該ブラシ部が無いカシメ部とが交互に連続して形成されてあることを特徴とするブラシロール。
【請求項２】
チャンネルブラシの帯状体は、上部から下部に亘って帯状にカシメ部が形成されてあることを特徴とする請求項１に記載のブラシロール。
【請求項３】
チャンネルブラシは、ブラシ片の先端部が、ブラシロールの回転方向に対して、前部が低く、後部が高くなるようにして傾斜面が形成されてあることを特徴とする請求項１又は２に記載のブラシロール。
【請求項４】
複数のチャンネルブラシの側面側において、各々のブラシ部に対して各々のカシメ部が互いに隣接するように配置されてあることを特徴とする請求項１〜３のいずれか１項に記載のブラシロール。
【請求項５】
並列に配置された複数のチャンネルブラシの帯状体同士を取り付け部材を介して一体的に連結させてブラシユニットとし、該ブラシユニットを筒状ロールの外周面に着脱自在に取り付けてあることを特徴とする請求項１〜４のいずれか１項に記載のブラシロール。
【発明の詳細な説明】
【技術分野】
【０００１】
本発明は、ロール軸の外周面に、多数本のチャンネルブラシを、軸方向に着脱自在に取付けたブラシロールに関するものである。
【背景技術】
【０００２】
従来より、鋼板やアルミ板等の研磨仕上げに使用されるブラシロールには、ロール軸外周面への毛材の植設方法としてチャンネルブラシを使用した幾つかの形式のものがある。例えば、チャンネルブラシは金属製で横断面コ字形をした直線状の長尺のチャンネルをベース部材とし、芯線を押し付けてＵ字形に２つ折りした毛材を、チャンネルの溝内の全長に亘って嵌め込んだ構造のものがある（特許文献１）。また、チャンネルブラシの毛材の巾の広い部分と狭い部分とを交互に形成したものがある（特許文献２）。さらに、チャンネルブラシの毛材の毛丈をカットした部分とカットしない部分とが交互に形成されたものがある（特許文献３）。
【０００３】
【特許文献１】特開２０００−２４５５３１号公報
【特許文献２】実開昭６３−６１９２６号公報
【特許文献３】実開昭６４−１０２２７号公報
【発明の開示】
【発明が解決しようとする課題】
【０００４】
上記特許文献１のブラシロールでは、隣り合うチャンネルブラシ間に隙間が発生するので、被洗浄面に対して均一な力で洗浄を行うことが難しかった。また、特許文献２及び３に記載のブラシロールは、チャンネルブラシをロール軸に巻きつけるものであるため、毛材の先端部が広がり、金属製のチャンネルも変形する。そのため、毛材の密度が低くなると共に、製造コストがかかるものであった。特に、特許文献３に記載のチャンネルブラシは、毛材をカットする手間がかかり、製造コストが高くなっていた。
【０００５】
本発明は上記点に鑑み、被洗浄面に対して均一な力で洗浄を行うことができると共に、製造コストを低減できるブラシロールを提供することを目的とする。
【課題を解決するための手段】
【０００６】
請求項１の発明では、筒状ロールの外周面に、その軸方向と略並列状に、多数本の直線状のチャンネルブラシを着脱自在に取り付けたブラシロールにおいて、前記チャンネルブラシは、ブラシ片と、帯状体と、芯線とを備え、前記ブラシ片を上面から視た場合に、長手方向に対して、略卵型のブラシ部と、該ブラシ部が無いカシメ部とが交互に連続して形成されてあることを特徴としている。したがって、カシメ部の上方にはブラシ部が存在しないので、複数のチャンネルブラシを並列に配置させた場合にブラシ部の密度を高くすることができ、被洗浄面に対して均一な洗浄を行うことができる。また、略卵型のブラシ部は、ブラシ片が長手方向に逃げることがない為、高密度のブラシ片を略卵型に形成することができる。したがって、毛腰の強いブラシ部を形成することができる。
【０００７】
請求項２の発明では、請求項１のブラシロールにおいて、チャンネルブラシの帯状体は、上部から下部に亘って帯状にカシメ部が形成されてあることを特徴としている。したがって、帯状体の形状を、カシメ部がある部分とカシメ部がない部分とが交互に連続する形状とすることができるので、複数のチャンネルブラシを並列に配置させた場合にブラシ部の密度を高くすることができ、被洗浄面に対して均一な洗浄を行うことができる。
【０００８】
請求項３の発明では、請求項１又は２のブラシロールにおいて、チャンネルブラシは、ブラシ片の先端部が、ブラシロールの回転方向に対して、前部が低く、後部が高くなるようにして傾斜面が形成されてあることを特徴としている。したがって、被洗浄面に対してブラシ片の傾斜面が接触することになるので、接触面積が多くなり、洗浄効果を増大させることができる。
【０００９】
請求項４の発明では、請求項１〜３のいずれかのブラシロールにおいて、複数のチャンネルブラシの側面側において、各々のブラシ部に対して各々のカシメ部が互いに隣接するように配置されてあることを特徴としている。したがって、ブラシ部の密度をさらに高くすることができ、被洗浄面に対して均一な洗浄を行うことができる。
【００１０】
請求項５の発明では、請求項１〜４のいずれかのブラシロールにおいて、並列に配置された複数のチャンネルブラシの帯状体同士を取り付け部材を介して一体的に連結させてブラシユニットとし、該ブラシユニットを筒状ロールの外周面に着脱自在に取り付けてあることを特徴としている。したがって、あらかじめチャンネルブラシをブラシユニットにしておくことによって、筒状ロールの外周面への取り付け及び取り外しを容易に行うことができる。
【発明の効果】
【００１１】
請求項１、２及び４の発明では、ブラシ部の密度を高くすることができ、被洗浄面に対して均一な洗浄を行うことができると共に、チャンネルブラシの製造が容易なことから、ブラシロールの製造コストを低減させることができる。また、チャンネルブラシを筒状ロールに巻きつけるものではないため、ブラシ部の先端部が広がることはなく、チャンネルブラシの帯状体も変形することはないことから、ブラシ部の密度が低くなることがない。さらに、略卵型のブラシ部は、ブラシ片が長手方向に逃げることがない為、高密度のブラシ片を略卵型に形成することができる。したがって、毛腰の強いブラシ部を形成することができる。また、請求項３の発明では被洗浄面に対してブラシ片の傾斜面が接触することになるので、接触面積が多くなり、洗浄効果を増大させることができる。さらに、請求項５の発明では、筒状ロールの外周面への取り付け及び取り外しを容易に行うことができることから、製造コストを低減させることができると共に、チャンネルブラシが擦り減った時の取り替え作業を容易に行うことができる。
【発明を実施するための最良の形態】
【００１２】
次に、本発明の実施形態を図面に基づいて説明する。図１（ａ）は本発明のブラシロールに使用するチャンネルブラシの第１実施形態を示す斜視図であり、図１（ｄ）はＡ−Ａ断面図である。チャンネルブラシ１はブラシ片によって形成されるブラシ部２と、帯状体３及び芯線８とにより形成されてある。チャンネルブラシ１は、ブラシ片を中央部から折り込んで、芯線８及び帯状体３にて、挟み付けるようにして形成されてあり、帯状体３は、断面が概コの字状に形成されてある。また、帯状体３の側面９は、カシメていない部分９ａとカシメ部９ｂとが交互に連続的に存在するように形成されてある。ここで、カシメ部９ｂは、上部から下部に亘って帯状に形成されてあり、カシメ部９ｂの上方にはブラシ片が存在しない構成となっている。
【００１３】
図１（ｂ）は上記チャンネルブラシ１の平面図であり、図１（ｃ）は同正面図である。ブラシ部２は、上面から視た場合に、略卵型状で、カシメ部９ｂによって分離されたものが複数形成される構成となっている。このように構成することによって、略卵型のブラシ部２は、ブラシ片が長手方向に逃げることがない為、高密度のブラシ片を略卵型に形成することができる。したがって、毛腰の強いブラシ部２を形成することができるのである。尚、帯状体３の材質には、鋼板、ＳＵＳ板、アルミ板等が使用されてある。
【００１４】
図２は、二連ブラシユニットを示す平面図である。図２に示す二連ブラシユニット５０は、取り付け穴５ａが形成された取り付け金具５に、図１で示したチャンネルブラシ１が並列に配置された構成を有するものである。ここで、チャンネルブラシ１の側面側において、各々のブラシ部２に対して各々のカシメ部９ｂが互いに隣接するように配置されてある。したがって、ブラシ部２の密度を高くすることができ、被洗浄面に対して均一な洗浄を行うことができる。尚、図２に示すように、ブラシ部２とカシメ部９ｂ及びブラシ部２同士が接触する位置まで各々のチャンネルブラシ１を嵌め合わせる構成とすれば、ブラシ部２の密度をより高くすることができる。また、二連ブラシユニット５０は、２本のチャンネルブラシ１を並列に配置したものであるが、３本以上の複数のチャンネルブラシ１を並列に配置する構成の形態も本発明に含まれる。
【００１５】
図３は、チャンネルブラシの製作状態を示す斜視図である。ここで、１９は縦ロール、２０は基台、２９は横ロールである。まず、断面が概コの字形状の長尺な帯状体３に対して、所定長さのブラシ部２の中央部が直交するように、帯状体３の上部に設置し、縦ロール１９を使用して、芯線８にてブラシ部２を挟み付けると共に、芯線８を帯状体３の概コの字形状の内部に押し込む。次に、帯状体３の両側に形成された横ロール２９を使用して、帯状体３を両側から加締める。その結果、中央部が帯状体３と芯線８に挟み付けられて折り込まれたブラシ部２を有するチャンネルブラシが形成される。さらに、図示しないカシメ部形成装置によって、前述したカシメ部９ｂが形成され、図１で示したチャンネルブラシ１が製作されるのである。
【００１６】
図４は、本発明のブラシロールの端面図であり、図５はブラシロールの縦断面図である。ブラシロール１００は、筒状ロール１０１の外周面に、多数本の二連ブラシユニット５０を、並列状に密接状態で、且つ、ロール軸に対して約７度傾けた状態で、着脱自在に螺止した構成を備えている。二連ブラシユニット５０は、２本のチャンネルブラシ１、１を、取付金具によって並列状に合体させた形態を備えている。尚、ブラシロール１００の回転軸１０２は、筒状ロール１０１の両端に各々取付けられる端面盤１０３に組付けている。二連ブラシユニット５０を用いることによって、筒状ロール１０１の外周面への多数本のチャンネルブラシの着脱は、作業能率を向上させることができる。尚、二連ブラシユニット５０は三連以上の複数本を結合したものでも適用可能である。
【００１７】
図６は、上述したブラシロール１００のブラシ部２を拡大した図である。この図に示すように、個々のブラシ片２０の先端部が、矢印で示すブラシロールの回転方向に対して、前部２０ａが低く、後部２０ｂが高くなるようにして傾斜面が形成されてある。したがって、被洗浄面に対してブラシ片２０の傾斜面が接触することになるので、接触面積が大きくなり、洗浄効果を増大させることができる。
【００１８】
尚、本発明の趣旨を逸脱しない範囲において、種々の実施形態をとることができることは言うまでもない。
【産業上の利用可能性】
【００１９】
本発明のブラシロールは、筒状ロールの外周面にチャンネルブラシを着脱自在に取付けたものであって、鋼板やアルミ板等の研磨仕上げ或いは樹脂板の表面仕上げに使用する。
【図面の簡単な説明】
【００２０】
【図１】本発明に使用するチャンネルブラシの第１実施形態を示す図。
【図２】二連ブラシユニットを示す平面図。
【図３】チャンネルブラシの製作状態を示す斜視図。
【図４】本発明のブラシロールの端面図。
【図５】本発明のブラシロールの縦断面図。
【図６】ブラシ部の拡大図。
【符号の説明】
【００２１】
１  チャンネルブラシ
２  ブラシ部
３  帯状体
８  芯線
９  側面
９ａ  カシメていない部分
９ｂ  カシメ部
５０  二連チャンネルブラシユニット
１００  ブラシロール
１０１  筒状ロール
１０２  回転軸
１０３  端面盤
【図１】
2010088565.tif 000003
【図２】
2010088565.tif 000004
【図３】
2010088565.tif 000005
【図４】
2010088565.tif 000006
【図５】
2010088565.tif 000007
【図６】
2010088565.tif 000008